【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
マトリックス状に配置されている複数の画素領域を備える液晶表示装置であって、
第１基板と、
第２基板と、
第１基板と第２基板との間に介在しており、実質的な電圧が加えられていないときに液晶分子が基板に対して略垂直方向に配向する液晶層と、
第１基板と第２基板の少なくとも一方に形成されており、液晶層に実質的な電圧が加えられたときの液晶分子の配向方向を複数方向に調整する調整構造と、
それぞれの画素領域に設けられている画素電極と、
それぞれの画素領域に設けられており、メインボディと、メインボディの一部から伸展している伸展部とを備える第１キャパシタ電極と、
それぞれの画素領域に設けられており、メインボディと、メインボディの一部から伸展部とを備える第２キャパシタ電極と、
それぞれの画素領域において第２キャパシタ電極と画素電極を電気的に接続し、前記第２キャパシタ電極と画素電極を第１キャパシタ電極に対する対電極として機能させる相互接続部と、
第１基板と第２基板との間のセルギャップを維持する複数のスペーサを備え、
前記第２キャパシタ電極の伸展部は、画素電極の縁部とその画素電極の縁部に対して９０度未満の角度を成す調整構造とによって囲繞される囲繞領域に対応して位置しており、
前記第２キャパシタ電極のメインボディは、第１方向に沿って前記囲繞領域の外側まで伸びているとともに、前記第２キャパシタ電極の伸展部は、前記第１方向と異なる第２方向に沿って伸展しており、
前記スペーサは、前記第２キャパシタ電極のメインボディ又は伸展部が位置する領域内であって前記相互接続部とは異なる位置に配置されていることを特徴とする液晶表示装置。
【請求項２】
前記第１基板は、共通電極を備えていることを特徴とする請求項１の液晶表示装置。
【請求項３】
前記スペーサは、透光状態において他の領域よりも輝度の低い領域に配置されていることを特徴とする請求項１の液晶表示装置。
【請求項４】
前記囲繞領域は、三角形状の領域であり、
前記スペーサは、その三角形状の囲繞領域内に配置されていることを特徴とする請求項１の液晶表示装置。
【請求項５】
前記相互接続部は、前記第２キャパシタ電極の伸展部又はメインボディが位置する領域内に形成されており、
前記スペーサは、前記第２キャパシタ電極の伸展部の先端に対して、前記相互接続部よりも近くに位置することを特徴とする請求項１の液晶表示装置。
【請求項６】
前記第２基板には、複数の平行なゲート線と、ゲート線に対して垂直であるとともに互いに平行な複数のデータ線とが形成されており、隣接する２つのゲート線と隣接する２つのデータ線によって画素領域が画定されていることを特徴とする請求項１の液晶表示装置。
【請求項７】
前記第１キャパシタ電極と前記ゲート線は第１金属層に形成されており、前記第２キャパシタ電極と前記データ線が第２金属層に形成されていることを特徴とする請求項６の液晶表示装置。
【請求項８】
前記第２キャパシタ電極の伸展部は、実質的に三角形状であることを特徴とする請求項１の液晶表示装置。
【請求項９】
前記第２キャパシタ電極の伸展部は、実質的に台形形状であることを特徴とする請求項１の液晶表示装置。
【請求項１０】
前記第２キャパシタ電極の伸展部は、第２キャパシタ電極のメインボディに対して１３５度の角度をなす縁部を少なくとも一つ備えていることを特徴とする請求項１の液晶表示装置。
【請求項１１】
前記第２キャパシタ電極の伸展部は、少なくとも１つの枝部を備えていることを特徴とする請求項１の液晶表示装置。
【請求項１２】
前記第２キャパシタ電極の伸展部は、第２キャパシタ電極のメインボディに対して１３５度の角度で配置されている２つの枝部を備えていることを特徴とする請求項１の液晶表示装置。
【請求項１３】
前記調整構造は、第１基板に設けられている複数の線状凸部と、画素電極に設けられている複数のスリットを備えており、
線状凸部のそれぞれは実質的にジグザグのパターンに形成されており、複数の線状凸部は互いに平行に配置されており、スリットと線状凸部が交互に配置されていることを特徴とする請求項１の液晶表示装置。
【請求項１４】
前記線状凸部は、複数の枝部を備えていることを特徴とする請求項１３の液晶表示装置。
【請求項１５】
前記画素電極のスリットは、複数の凹所を備えていることを特徴とする請求項１３の液晶表示装置。
【請求項１６】
前記線状凸部は、それぞれの画素領域において屈曲部を形成しており、前記第２キャパシタ電極の伸展部は、屈曲部と屈曲部に隣接するデータ線によって囲繞される領域に位置していることを特徴とする請求項１３の液晶表示装置。
【請求項１７】
前記調整構造が、第１基板に設けられた複数の第１スリットと、画素電極に設けられた複数の第２スリットを備えており、
第１スリットのそれぞれは実質的にジグザグのパターンに形成されており、複数の第１スリットは互いに平行に配置されており、第１スリットと第２スリットが交互に配置されていることを特徴とする請求項１の液晶表示装置。
【請求項１８】
前記スペーサと相互接続部が、前記第２キャパシタ電極のメインボディの長手方向に平行な直線上に配置されることを特徴とする請求項１の液晶表示装置。
【請求項１９】
第１基板と第２基板の間に液晶層が介在し、マトリックス状に配置された複数の画素領域と、それぞれの画素領域に設けられた画素電極と、第１基板と第２基板の間のセルギャップを維持するために画素領域に設けられたスペーサを備える液晶表示装置のためのストレージキャパシタであって、
それぞれの画素領域に設けられ、メインボディと、メインボディの一部からメインボディの長手方向と異なる方向に伸展している伸展部とを備えており、メインボディよりも伸展部の方がキャパシタ面積が大きい第１キャパシタ電極と、
それぞれの画素領域に設けられ、メインボディと、メインボディの一部からメインボディの長手方向と異なる方向に伸展している伸展部とを備えており、メインボディよりも伸展部の方がキャパシタ面積が大きい第２キャパシタ電極と、
前記第２キャパシタ電極を前記液晶表示装置の画素電極に電気的に接続し、前記第２キャパシタ電極と画素電極を第１キャパシタ電極に対する対電極として機能させる相互接続部を備え、
前記液晶表示装置のスペーサが、前記第２キャパシタ電極のメインボディ又は伸展部が位置する領域内であって前記相互接続部とは異なる位置に配置されることを特徴とするストレージキャパシタ。
【請求項２０】
前記第１キャパシタ電極と前記第２キャパシタ電極の伸展部は、実質的に三角形状であることを特徴とする請求項１９のストレージキャパシタ。
【請求項２１】
前記第１キャパシタ電極と前記第２キャパシタ電極の伸展部は、実質的に台形形状であることを特徴とする請求項１９のストレージキャパシタ。
【請求項２２】
前記第１キャパシタ電極の伸展部は、第１キャパシタ電極のメインボディに対して１３５度の角度をなす縁部を少なくとも一つ備えており、
前記第２キャパシタ電極の伸展部は、第２キャパシタ電極のメインボディに対して１３５度の角度をなす縁部を少なくとも一つ備えていることを特徴とする請求項１９のストレージキャパシタ。
【請求項２３】
前記相互接続部は、前記第２キャパシタ電極の伸展部又はメインボディが位置する領域内に形成されており、
前記スペーサは、前記第２キャパシタ電極の伸展部の先端に対して、前記相互接続部よりも近くに配置されることを特徴とする請求項１９のストレージキャパシタ。
【請求項２４】
前記第１キャパシタ電極の伸展部が伸展している方向と、前記第２キャパシタ電極の伸展部が伸展している方向は共に、液晶表示装置の少なくとも一つの基板に形成されている液晶層の配向方向を調整する調整構造が伸びている方向と平行であることを特徴とする請求項１９のストレージキャパシタ。
【請求項２５】
画素領域の寸法が１００μｍ×３００μｍ以上である液晶表示装置に用いられ、前記第１キャパシタ電極と前記第２キャパシタ電極の伸展部は、透光状態において他の領域よりも輝度の低い領域に配置されることを特徴とする請求項１９のストレージキャパシタ。
【請求項２６】
前記スペーサと相互接続部が、前記第２キャパシタ電極のメインボディの長手方向に平行な直線上に配置されることを特徴とする請求項１９のストレージキャパシタ。